(57)【特許請求の範囲】
【請求項１】
下端に水弁開閉キャップに接続するためのソケット部を有するソケットパイプと、前記ソケットパイプの上端近傍に分離可能に取り付けられるハンドル棒とを具備し、前記ハンドル棒が前記ソケットパイプ内に着脱可能に収納されてなる水弁開閉用ソケットレンチであって、前記ソケットパイプの上端部に、該ソケットパイプ内に前記ハンドル棒を挿入するための開口部が形成され、且つ、前記開口部側あるいは該開口部に挿入される前記ハンドル棒側に、突起部と該突起部の通過を可能とする切欠部が形成され、前記突起部と切欠部の位置を合わせた時にのみ、前記ハンドル棒が前記ソケットパイプから抜き出し可能となるように構成されてなる水弁開閉用ソケットレンチにおいて、
前記ハンドル棒あるいは前記ソケットパイプに、前記ハンドル棒を前記ソケットパイプから抜け出る方向に弾性付勢する付勢部材が設けられ、
さらに、前記ソケット部が前記ソケットパイプに対して摺動可能に構成され、
且つ、前記ソケット部より奥側に収納可能、且つ前記ソケット部から露出可能に構成された前記ソケット部とは異なる水弁開閉用操作端部が前記ソケットパイプの内側に設けられていることを特徴とする水弁開閉用ソケットレンチ。
【請求項２】
前記付勢部材がバネである請求項１記載の水弁開閉用ソケットレンチ。
【発明の詳細な説明】
【技術分野】
【０００１】
本発明は、消火栓などの水弁の開閉に用いられる水弁開閉用ソケットレンチに関するものである。
【背景技術】
【０００２】
従来、消火栓の水弁の開閉に用いられる水弁開閉用ソケットレンチには、例えば、図４に示すものがある。同図に示すように、従来の水弁開閉用ソケットレンチ１は、ソケットパイプ２と、ソケットパイプ２の上端近傍に取り付けられるハンドル棒３と、当該ソケットパイプ２の下端に消火栓の水弁開閉キャップに接続するためのソケット部４とによって構成されている。
【０００３】
また、ソケットパイプ２は、それぞれ断面矩形状の中空構造をなす外パイプ２ａと内パイプ２ｂとの２重構造となっており、互いに摺動可能に接続され、外パイプ２ａに取り付けられた止め金７の係合爪７ａを、内パイプ２ｂの長手方向に所定の間隔で設けられた係合孔６の一つと係合させることによって、パイプの長さを変化可能な構造で両パイプを固定している。
【０００４】
したがって、使用時には任意の長さに固定でき、収納時には最も短くしてコンパクトに収納できる。また、ハンドル棒３は、断面形状が円形をなし、ソケットパイプ２の上端部に設けられた円形の貫通孔５に対して取り外し自在に挿入されている。これにより、ソケットレンチ１の不使用時には、ハンドル棒３をソケットパイプ２から取り外すことができると共に、ハンドル棒３をソケットパイプ２の内部に差し込むことで、収納可能な構造となっている。
【０００５】
図６に示すように、ハンドル棒３の一端には当て板３ｂが取り付けられており，該当て板３ｂから一定の距離をおいて突起部３ａが形成されている。一方、図５に示すように、ソケットパイプ２の上端部には、開口部８が形成されている。開口部８はハンドル棒３を挿入可能な大きさの円形をなしており、その一部に当該ハンドル棒３の突起部３ａが通過できる切欠部８ａが形成されている。
【０００６】
ソケットパイプ２内へハンドル棒３を収納する際、先ずハンドル棒３をソケットパイプ２の貫通孔５から抜き取る。次に、ハンドル棒３をその先端部３ｃ側からソケットパイプ２の上端部の開口部８へ挿入する。その時、突起部３ａと開口部８の切欠部８ａの位置を合わせることにより、突起部３ａは開口部８を通過し、ハンドル棒３を当て板３ｂがソケットパイプ２の上端部に当接するまで挿入できる（図７参照。）。
【０００７】
続いて、ハンドル棒３をソケットパイプ２に対して適当な角度だけ回転させることにより、突起部３ａと開口部８の周辺部が干渉し、ハンドル棒３の開口部８からの抜けを防止できる。収納したハンドル棒３を取り出す場合には、再度ハンドル棒３を回転させて突起部３ａと切欠部８ａの位置を合わせればよい。
【０００８】
上述のように、従来の水弁開閉用ソケットレンチ１は、ハンドル棒３をソケットパイプ２から取り外すことができると共に、ソケットパイプ２の内部に取り外したハンドル棒３を収納できるため、不使用時にはコンパクトに収納でき、しかも、ソケットパイプ２とハンドル棒３とを一体的に管理することができる（例えば、特許文献１参照。）。
【先行技術文献】
【特許文献】
【０００９】
【特許文献１】特開平１０−１３８１５５号公報
【発明の概要】
【発明が解決しようとする課題】
【００１０】
特許文献１に開示されている水弁開閉用ソケットレンチ１は、突起部３ａと切欠部８ａの位置が合っていれば、ソケットパイプ２に収納されたハンドル棒３は簡単に取り外されてしまう。このように、ハンドル棒３が簡単に取り外されてしまうと、ハンドル棒３の先端部３ｃが鋭利に尖っていることとも関係して、取り扱いに注意を要する。
【００１１】
また、特許文献１の水弁開閉用ソケットレンチ１は、四角錘状の水弁開閉用に１個のソケット部４が備えられている。しかし、消火栓の種類によっては、四角錘状以外の形状の水弁が使用されている場合があり、そのような形状の水弁を開閉するには異なる形状のバルブ栓に応じた水弁開閉用ソケットレンチを別途用意しなければならず、不便である。
【００１２】
したがって、本発明は、ハンドル棒が確実に水弁開閉用ソケットレンチに固定されていると共に、取り外す時は簡単な操作で容易に取り外すことができる水弁開閉用ソケットレンチを提供することを目的とする。
【００１３】
また、本発明の他の目的は、異なる形状のバルブ栓ごとに異なる水弁開閉用ソケットレンチを用意する必要がなく、しかも簡単な操作で複数の形状のバルブ栓に対応することができる水弁開閉用ソケットレンチを提供することである。
【課題を解決するための手段】
【００１４】
本発明の水弁開閉用ソケットレンチは、端に水弁開閉キャップに接続するためのソケット部を有するソケットパイプと、前記ソケットパイプの上端近傍に取り付けられる断面円形状のハンドル棒とを具備し、前記ソケットパイプに前記ハンドル棒が分離可能に装着されてなる水弁開閉用ソケットレンチであって、前記ソケットパイプの上端部に、該ソケットパイプ内に前記ハンドル棒を挿入するための断面円形状の開口部が形成され、且つ、前記開口部あるいは該開口部に挿入される前記ハンドル棒に、突起部と該突起部の通過を可能とする切欠部が形成され、前記突起部と切欠部の位置を合わせた時にのみ、前記ハンドル棒が前記ソケットパイプから抜き出し可能となるように構成されてなる水弁開閉用ソケットレンチにおいて、
前記ハンドル棒あるいは前記ソケットパイプに、前記ハンドル棒を前記ソケットパイプから抜け出る方向に弾性付勢する付勢部材が設けられ、
さらに、前記ソケット部が前記ソケットパイプに対して摺動可能に構成され、
且つ、前記ソケット部より奥側に収納可能、且つ前記ソケット部から露出可能に構成された前記ソケット部とは異なる水弁開閉用操作端部が前記ソケットパイプの内側に設けられている。
【発明の効果】
【００１５】
本発明によれば、水弁開閉用ソケットレンチの不使用時には、下端に水弁開閉キャップに接続するためのソケット部を有するソケットパイプの上端近傍に取り付けられているハンドル棒を該ソケットパイプから分離し、前記ハンドル棒を前記ソケットパイプの上端部に形成された開口部から該ソケットパイプ内に挿入し、収納する。また、前記ハンドル棒の断面形状、及び前記開口部の断面形状は共に円形をなしており、前記ハンドル棒の挿入後、任意の角度だけ回転させて、前記開口部に前記突起部が位置合わせされた時にのみ、前記ハンドル棒をソケットパイプから抜き取ることができるように構成されている。
【００１６】
このため、簡単な操作で前記ハンドル棒を前記ソケットパイプ内に収納した状態を保持し、あるいは抜き取ることができる。これによって、不使用時にはコンパクトに収納でき、しかもハンドル棒とソケットパイプとを一体的に管理できるため、持ち運びが容易となり、またハンドル棒、ソケットパイプのどちらか一方の紛失を防止することができる。
【００１７】
また、本発明によれば、前記ハンドル棒あるいは前記ソケットパイプに、前記ハンドル棒を前記ソケットパイプから抜け出る方向に弾性付勢する付勢部材が設けられているので、一旦ソケット部内に収納されたハンドル棒は、前記開口部に前記突起部が位置合わせされていなければ前記ハンドル棒が前記ソケットパイプ内で勝手に回転してハンドル棒が前記ソケットパイプから不用意に抜け出てしまうような事がなく、先端が尖っているために危険なハンドル棒の安全性が向上する。
【００１８】
更に、本発明によれば、前記ソケット部が前記ソケットパイプに対して摺動可能に構成され、且つ、前記ソケット部より奥側に収納可能、且つ前記ソケット部から露出可能に構成された前記ソケット部とは異なる水弁開閉用操作端部が前記ソケットパイプの内側に設けられている。このため、ソケットパイプは、使用時に必要な任意の長さに設定でき、収納時には最も短くしてコンパクトに収納できる。それに加えて、前記ソケット部とは異なる水弁操作端部を前記ソケット部内より奥側に収納した状態では、前記ソケット部を用いて水弁開閉キャップを操作することができるほか、前記ソケット部とは異なる水弁操作端部を前記ソケット部内より露出させた状態では、水弁開閉キャップ以外の操作をすることができるので、１つのレンチで複数種類の水弁操作部に対する操作を行うことができ、利便性が向上する。
【図面の簡単な説明】
【００１９】
【図１】本発明の一実施形態に係る水弁開閉用ソケットレンチの全体構成図である。（ａ）はソケットパイプからハンドル棒が若干抜き出された状態を示す図であり、（ｂ）はソケットパイプにハンドル棒が完全に差し込まれた状態を示す図である。
【図２】本発明の一実施形態に係る水弁開閉用ソケットレンチに用いるソケットパイプを示す図である。（ａ）は外側パイプを示す図であり、（ｂ）は内側パイプを示す図である。
【図３】図１に示した水弁開閉用ソケットレンチの水弁操作部の詳細図である。（ａ）はソケット部以外の水弁操作端部をソケット部内より奥に収納した状態を示す図であり、（ｂ）はソケット部を摺動させて、ソケット部とは異なる水弁操作端部をソケット部内より露出させた状態を示す図であり、（ｃ）はソケット部とは異なる水弁操作端部の詳細を示す図である。（ｄ）は水弁操作端部を保持するためのストッパーピンの構造を示す図である。
【図４】本発明、及び従来技術に係る水弁開閉用ソケットレンチの基本構造を説明する正面図（一部断面）である。
【図５】本発明、及び従来技術に係る水弁開閉用ソケットレンチの上端部を説明する図である。
【図６】本発明、及び従来技術に係る水弁開閉用ソケットレンチの端部を説明する図である。
【図７】従来の水弁開閉用ソケットレンチの上端部の概略構成図である。
【図８】本発明の一実施形態に係る水弁開閉用ソケットレンチの使用状態を説明する概略図である。
【発明を実施するための形態】
【００２０】
以下、本発明の実施の形態に係る水弁開閉用ソケットレンチについて、添付図面に従って説明する。なお、以下の説明では、方向や位置を表す用語（例えば、「一端」や「他端」等）を便宜上用いるが、これらは発明の理解を容易にするためであり、それらの用語の意味によって本発明の技術的範囲が限定されるものではない。また、以下の説明は、本発明の一形態の例示に過ぎず、本発明、その適用物或いはその用途を制限することを意図するものではない。
【００２１】
本実施の形態に係る水弁開閉用ソケットレンチ１１の基本構造については、図４以下に示した水弁開閉用ソケットレンチ１と同様である。図８に示すように、水弁開閉用ソケットレンチ１１は、ソケットパイプ１２と、ソケットパイプ１２の上端近傍に取り付けられるハンドル棒１３と、ソケットパイプ１２の下端に消火栓の水弁開閉キャップに接続するためのソケット部１４とによって構成されている。図１には、ソケットパイプ１２にハンドル棒１３が収納された状態が示されている。ハンドル棒１３がソケットパイプ１２の上端近傍に直角に取り付けられた状態については、従来と同じである。
【００２２】
また、ソケットパイプ１２はそれぞれ断面矩形状の中空構造をなす外パイプ１２ａと内パイプ１２ｂとの２重構造となっており、外パイプ１２ａと内パイプ１２ｂとは、互いに摺動可能に接続され、内パイプ１２ｂに取り付けられた係合部材２２（図３参照）を、外パイプ１２ａの長手方向に所定の間隔で設けられた係合孔１６の一つと係合させることによって、パイプの長さを変えることが可能な構造である。したがって、ソケットパイプ１２は、使用時に必要な任意の長さに設定でき、収納時には最も短くしてコンパクトに収納できる。
【００２３】
また、ハンドル棒１３は、断面形状が円形をなし、ソケットパイプ１２の上端部に設けられた円形の貫通孔１５に対して取り外し自在に挿入される（図４、図８参照）。したがって、ソケットレンチ１１の不使用時には、ハンドル棒１３を図８に示す使用状態のソケットパイプ１２から取り外すことができ、ハンドル棒１３を図１のようにソケットパイプ１２の内部に差し込むことで収納可能な構造となっている。
【００２４】
図１に示すように、ハンドル棒１３の一端には半球殻状の当て板１３ｂが取り付けられており、該当て板１３ｂから一定の距離をおいて、公知のキー等からなる突起部１３ａが固定されている。一方、上述のようにソケットパイプ１２は中空構造となっており、該ソケットパイプ１２の上端部には、開口部８が形成されている。この開口部８は図５で説明したものと同様である。開口部８はハンドル棒１３を挿入可能な大きさの円形をなしており、その一部に当該ハンドル棒１３の突起部１３ａが通過できる切欠部（図示せず）が形成されている。
【００２５】
図１に示すように、ソケットパイプ１２内へハンドル棒１３を収納する際、先ずハンドル棒１３をソケットパイプ１２の貫通孔１５から抜き取り、その先端部１３ｃ側からソケットパイプ１２上端部の開口部８へ挿入する。その時、突起部１３ａと開口部８の切欠部（図示せず）の位置を合わせることにより、突起部１３ａは開口部８を通過し、ハンドル棒１３を当て板１３ｂがソケットパイプ１２の上端部に当接するまで挿入できる（図１（ｂ）参照。）。
【００２６】
続いて、ハンドル棒１３をソケットパイプ１２に対して適当な角度だけ回転させることにより、突起部１３ａと開口部８の周辺部が干渉し、ハンドル棒１３が開口部８からの抜けなくなる。収納したハンドル棒１３を取り出す場合には、再度ハンドル棒１３を回転させて突起部１３ａと切欠部（図示せず）の位置を合わせればよい。
【００２７】
このように、本実施の形態に係る水弁開閉用ソケットレンチ１１は、ソケットパイプ１２からハンドル棒１３を取り外すことができ、更に取り外したハンドル棒１３をソケットパイプ１２の内部に収納することが可能であるため、不使用時にはコンパクトに収納でき、しかも、ソケットパイプ１２とハンドル棒とを一体的に管理できる。
【００２８】
ところで、ソケットパイプ１２に挿入されたハンドル棒１３が、単に突起部１３ａと開口部８の周辺部が干渉していることだけで、開口部８からの抜け止めとなっているのでは、少々の振動や、操作者の手が触れたといった偶発的理由でソケットパイプ１２に対してハンドル棒１３が回転してしまう可能性がある。そのとき、ソケットパイプ１２に対するハンドル棒１３の回転角度によっては、ソケットパイプ１２からハンドル棒１３が抜け落ちてしまう可能性がある。これは、ハンドル棒１３の先端が尖っていることとも関係して取り扱いに注意を要する。
【００２９】
本実施の形態においては、このような危険性を回避するために、図１に示すように、ハンドル棒１３の当て板１３ｂを取り付けた部分に、ソケットパイプ１２にハンドル棒１３を挿入したときにハンドル棒１３をソケットパイプ１２から抜け出る方向に弾性付勢する付勢部材の一例であるバネ部材２０ａが設けられている。このようなバネ部材は、ソケットパイプ１２の先端部側に設けられてもよい。付勢部材としては、バネ部材のほか、ゴムなどでも構わない。
【００３０】
このように、ソケットパイプ１２、あるいはハンドル棒１３に、ソケットパイプ１２からハンドル棒１３が抜け出る方向に弾性付勢する付勢部材が設けられているので、一旦、ソケットパイプ１２部内に収納されたハンドル棒１３は、ソケットパイプ１２に対して容易には回転することができない。したがって、開口部８に突起部１３ａが位置合わせされていなければ、ハンドル棒１３がソケットパイプ１２内で勝手に回転し、ソケットパイプ１２からハンドル棒１３が不用意に抜け出てしまうことがなく、先端が尖っているハンドル棒１３の危険性が回避される。
【００３１】
更に、本実施の形態では、図３（ａ）、（ｂ）に示すように、内パイプ１２ｂ内に配置され、上方に付勢するバネ２２ａとロック釦２２ｂからなる係合部材２２を押下することにより、係合孔１６とロック釦２２ｂとの係合が外れ、外パイプ１２ａと内パイプ１２ｂの固定が解除される。これにより、外パイプ１２ａを含むソケット部１４が矢印Ｙ方向に摺動可能となる。また、外パイプ１２ａ内側であってソケット部１４の近傍には、水弁操作端部１７が備えられている。この水弁操作端部１７はストッパーピン２４により固定、又は摺動自在に保持されている。水弁操作端部１７の保持方法、ストッパーピン２４の詳細構成については後述する。
【００３２】
図３（ｃ）に示すように、水弁操作端部１７は、中空直方体状のホルダー１７ａと、ホルダー１７ａの一端面から該ホルダー１７ａの長手方向に伸びる一対のテーパ形状の開栓部材１７ｂからなる。一対の開栓部材１７ｂは、ホルダー１７ａの一端面の対角線状に取り付けられている。また、ホルダー１７ａの内部は、ストッパーピン２４の一部を収容する内部空間１７ｃが形成されている。ホルダー１７ａの一側面には、内部空間１７ｃに向けて貫通する長円状のガイド溝１７ｄが形成されている。ガイド溝１７ｄの両端部は、当該ガイド溝１７ｄの幅よりも大きな直径を有する丸孔部１７ｅが形成されている。
【００３３】
図３（ｄ）に示すように、ストッパーピン２４は、軸方向に平行な平行二面部２４０が形成された軸部２４ａと、平行二面部２４０の長辺側の寸法よりも大きな直径の頭部２４ｂからなる。軸部２４ａの先端近傍には、当該軸部２４ａの厚み方向に貫通する割ピン孔２４２が形成されている。平行二面部２４０の短辺側（厚み）は、ガイド溝１７ｄの幅よりも僅かに小さい寸法に形成されている。
【００３４】
図３（ａ）、（ｂ）に戻り、水弁操作端部１７の保持方法について説明する。ストッパーピン２４は、その軸部２４ａがガイド溝１７ｄから突出しており、頭部２４ｂが内部空間１７ｃに収容されている。ピン孔２４２には抜止めピンとしての割ピン２４４が挿通されている。図示するように、軸部２４ａの二面幅部２４０をガイド溝１７ｄに対して直角方向になるようにストッパーピン２４を回転させると、水弁操作端部１７は確実に固定される。一方、軸部２４ａの二面幅部２４０をガイド溝１７ｄに沿う方向に回転させると、水弁操作端部１７はガイド溝１７ｄに沿って矢印Ｙ方向に摺動自在となる。
【００３５】
図３（ａ）は、外パイプ１２ａを含むソケット部１４が係合部材２２により所定位置で内パイプ１２ｂと固定されており、且つストッパーピン２４がガイド溝１７ｂの一端側に当接して水弁操作端部１７がソケット部１４内より奥に収納された状態を示している。
【００３６】
また、図３（ｂ）は、係合部材２２を押下することにより、外パイプ１２ａを含むソケット部１４と内パイプ１２ｂの固定が解除されており、且つストッパーピン２４がガイド溝１７ｂの他端側に当接して水弁操作端部１７がソケット部１４から露出した状態を示している。
【００３７】
このように、水弁操作端部１７をソケット部１４内より奥に収納した状態（図３（ａ））では、ソケット部１４を用いて水弁開閉キャップを操作することができるほか、水弁操作端部１７をソケット部１４内より露出させた状態（図３（ｂ））では、水弁操作端部１７を用いて、水弁開閉キャップ以外の操作をすることができるので、１つのレンチで複数種類の水弁操作部に対する操作を行うことができ、利便性が向上する。
【産業上の利用可能性】
【００３８】
本発明に係る水弁開閉用ソケットレンチは、消火栓、上下水道や農業用水配管の地中埋設又はハンドルのない弁栓等の開閉操作に利用可能である。
【符号の説明】
【００３９】
７ａ  係合爪、８  開口部、８ａ  切欠部、１１  水弁開閉用ソケットレンチ、１２  ソケットパイプ、１２ａ  外パイプ、１２ｂ  内パイプ、１３  ハンドル棒、１３ａ  突起部、１３ｂ  当て板、１４  ソケット部、１５  貫通孔、１６  係合孔、１７  水弁操作端部、２０ａ  バネ部材、２２  係合部材、２４  ストッパーピン
【要約】
【課題】ハンドル棒が確実に水弁開閉用ソケットレンチに固定されていると共に、取り外す時は簡単な操作で容易に取り外すことができ、また、異なる形状のバルブ栓ごとに異なる水弁開閉用ソケットレンチを用意する必要がなく、しかも簡単な操作で複数の形状のバルブ栓に対応できる水弁開閉用ソケットレンチを提供する。
【解決手段】本発明に係る水弁開閉用ソケットレンチは、ハンドル棒あるいはソケットパイプに、ハンドル棒をソケットパイプから抜け出る方向に弾性付勢する付勢部材が設けられていると共に、前記ソケット部が前記ソケットパイプに対して摺動可能に構成され、且つ、前記ソケット部より奥側に可能、且つ前記ソケット部から露出可能に構成された前記ソケット部とは異なる水弁開閉用操作端部が前記ソケットパイプの内側に設けられている。
【選択図】図１【図１】
0005583814.tif 000002
【図２】
0005583814.tif 000003
【図３】
0005583814.tif 000004
【図４】
0005583814.tif 000005
【図５】
0005583814.tif 000006
【図６】
0005583814.tif 000007
【図７】
0005583814.tif 000008
【図８】
0005583814.tif 000009